(57)【要約】      （修正有）【課題】高結像性能を得るとともに、極薄化及び広角化の要求を満たす撮像光学レンズを提供する。【解決手段】撮像光学レンズ１０は、物体側から像側に向かって、順に第１〜第６レンズＬ１〜Ｌ６を備え、第１、第２、第３、第５レンズがプラスチック材質であり，第４、第６レンズがガラス材質であり、第２レンズＬ２が正の屈折力を有し、第３レンズＬ３が負の屈折力を有し、且つ条件式−３≦ｆ１／ｆ≦−１、１．７≦ｎ４≦２．２、１．７≦ｎ６≦２．２、−２≦ｆ５／ｆ６≦−１．２を満たす。なお，撮像光学レンズの焦点距離をｆ，第１レンズの焦点距離をｆ１，第５レンズの焦点距離をｆ５，第６レンズの焦点距離をｆ６，第４レンズの屈折率をｎ４，第６レンズの屈折率をｎ６とする。【選択図】図１
2019120919.tif 000002
【特許請求の範囲】
【請求項１】
撮像光学レンズであって、
物体側から像側に向かって、順に第１レンズ、第２レンズ、第３レンズ、第４レンズ、第５レンズ及び第６レンズを備え、
前記第２レンズが正の屈折力を有し、前記第３レンズが負の屈折力を有し、
前記撮像光学レンズの焦点距離をｆ、前記第１レンズの焦点距離をｆ１、前記第５レンズの焦点距離をｆ５、前記第６レンズの焦点距離をｆ６、前記第４レンズの屈折率をｎ４、前記第６レンズの屈折率をｎ６としたときに、以下の条件式（１）〜（４）を満たすことを特徴とする撮像光学レンズ。
−３≦ｆ１／ｆ≦−１        （１）
１．７≦ｎ４≦２．２        （２）
１．７≦ｎ６≦２．２        （３）
−２≦ｆ５／ｆ６≦−１．２  （４）
【請求項２】
前記第１レンズがプラスチック材質であり、前記第２レンズがプラスチック材質であり、前記第３レンズがプラスチック材質であり、前記第４レンズがガラス材質であり、前記第５レンズがプラスチック材質であり、前記第６レンズがガラス材質であることを特徴とする請求項１に記載の撮像光学レンズ。
【請求項３】
前記撮像光学レンズは、以下の条件式（５）〜（８）を満たすことを特徴とする請求項１に記載の撮像光学レンズ。
−２．９９７≦ｆ１／ｆ≦−１．０７８  （５）
１．７１≦ｎ４≦２．０１              （６）
１．７１≦ｎ６≦２．０４              （７）
−１．９９３≦ｆ５／ｆ６≦−１．２２２  （８）
【請求項４】
前記第１レンズは、負の屈折力を有し、その物体側面が近軸において凸面であり、その像側面が近軸において凹面であり、
前記第１レンズの物体側面の曲率半径をＲ１、前記第１レンズの像側面の曲率半径をＲ２、前記第１レンズの軸上厚みをｄ１としたときに、以下の条件式（９）〜（１０）を満たすことを特徴とする請求項１に記載の撮像光学レンズ。
１．９１≦（Ｒ１＋Ｒ２）／（Ｒ１−Ｒ２）≦１０．９８  （９）
０．１２≦ｄ１≦０．３５                              （１０）
【請求項５】
前記撮像光学レンズは、以下の条件式（１１）〜（１２）を満たすことを特徴とする請求項４に記載の撮像光学レンズ。
３．０６≦（Ｒ１＋Ｒ２）／（Ｒ１−Ｒ２）≦８．７８  （１１）
０．１８≦ｄ１≦０．２８                            （１２）
【請求項６】
前記第２レンズは、その物体側面が近軸において凸面であり、その像側面が近軸において凸面であり、
前記撮像光学レンズの焦点距離をｆ、前記第２レンズの焦点距離をｆ２、前記第２レンズの物体側面の曲率半径をＲ３、前記第２レンズの像側面の曲率半径をＲ４、前記第２レンズの軸上厚みをｄ３としたときに、以下の条件式（１３）〜（１５）を満たすことを特徴とする請求項１に記載の撮像光学レンズ。
０．２７≦ｆ２／ｆ≦１．０８                            （１３）
−１．８８≦（Ｒ３＋Ｒ４）／（Ｒ３−Ｒ４）≦−０．４９  （１４）
０．２９≦ｄ３≦０．９８                                （１５）
【請求項７】
前記撮像光学レンズは、以下の条件式（１６）〜（１８）を満たすことを特徴とする請求項６に記載の撮像光学レンズ。
０．４３≦ｆ２／ｆ≦０．８６                            （１６）
−１．１７≦（Ｒ３＋Ｒ４）／（Ｒ３−Ｒ４）≦−０．６１  （１７）
０．４６≦ｄ３≦０．７８                                （１８）
【請求項８】
前記撮像光学レンズの焦点距離をｆ、前記第３レンズの焦点距離をｆ３、前記第３レンズの物体側面の曲率半径をＲ５、前記第３レンズの像側面の曲率半径をＲ６、前記第３レンズの軸上厚みをｄ５としたときに、以下の条件式（１９）〜（２１）を満たすことを特徴とする請求項１に記載の撮像光学レンズ。
−４３．９９≦ｆ３／ｆ≦−１．６４                      （１９）
−２．００≦（Ｒ５＋Ｒ６）／（Ｒ５−Ｒ６）≦３４．５６  （２０）
０．１２≦ｄ５≦０．４９                                （２１）
【請求項９】
前記撮像光学レンズは、以下の条件式（２２）〜（２４）を満たすことを特徴とする請求項８に記載の撮像光学レンズ。
−２７．４９≦ｆ３／ｆ≦−２．０６                      （２２）
−１．２５≦（Ｒ５＋Ｒ６）／（Ｒ５−Ｒ６）≦２７．６５  （２３）
０．１８≦ｄ５≦０．４０                                （２４）
【請求項１０】
前記第４レンズは、その物体側面が近軸において凹面であり、その像側面が近軸において凸面であり、
前記撮像光学レンズの焦点距離をｆ、前記第４レンズの焦点距離をｆ４、前記第４レンズの物体側面の曲率半径をＲ７、前記第４レンズの像側面の曲率半径をＲ８、前記第４レンズの軸上厚みをｄ７としたときに、以下の条件式（２５）〜（２７）を満たすことを特徴とする請求項１に記載の撮像光学レンズ。
−４．８８≦ｆ４／ｆ≦３５．８１                          （２５）
−４４．６５≦（Ｒ７＋Ｒ８）／（Ｒ７−Ｒ８）≦１１．７１  （２６）
０．２０≦ｄ７≦０．７５                                  （２７）
【請求項１１】
前記撮像光学レンズは、以下の条件式（２８）〜（３０）を満たすことを特徴とする請求項１０に記載の撮像光学レンズ。
−３．０５≦ｆ４／ｆ≦２８．６５                        （２８）
−２７．９０≦（Ｒ７＋Ｒ８）／（Ｒ７−Ｒ８）≦９．３７  （２９）
０．３２≦ｄ７≦０．６０                                （３０）
【請求項１２】
前記第５レンズは、正の屈折力を有し、その物体側面が近軸において凸面であり、その像側面が近軸において凸面であり、
前記撮像光学レンズの焦点距離をｆ、前記第５レンズの焦点距離をｆ５、前記第５レンズの物体側面の曲率半径をＲ９、前記第５レンズの像側面の曲率半径をＲ１０、前記第５レンズの軸上厚みをｄ９としたときに、以下の条件式（３１）〜（３３）を満たすことを特徴とする請求項１に記載の撮像光学レンズ。
０．３３≦ｆ５／ｆ≦１．７２                                （３１）
−０．９４≦（Ｒ９＋Ｒ１０）／（Ｒ９−Ｒ１０）≦−０．２６  （３２）
０．３２≦ｄ９≦１．３２                                    （３３）
【請求項１３】
前記撮像光学レンズは、以下の条件式（３４）〜（３６）を満たすことを特徴とする請求項１２に記載の撮像光学レンズ。
０．５３≦ｆ５／ｆ≦１．３８                                （３４）
−０．５９≦（Ｒ９＋Ｒ１０）／（Ｒ９−Ｒ１０）≦−０．３２  （３５）
０．５２≦ｄ９≦１．０６                                    （３６）
【請求項１４】
前記第６レンズは、負の屈折力を有し、その物体側面が近軸において凹面であり、その像側面が近軸において凹面であり、
前記撮像光学レンズの焦点距離をｆ、前記第６レンズの焦点距離をｆ６、前記第６レンズの物体側面の曲率半径をＲ１１、前記第６レンズの像側面の曲率半径をＲ１２、前記第６レンズの軸上厚みをｄ１１としたときに、以下の条件式（３７）〜（３９）を満たすことを特徴とする請求項１に記載の撮像光学レンズ。
−１．１６≦ｆ６／ｆ≦−０．３６                                （３７）
−１．５２≦（Ｒ１１＋Ｒ１２）／（Ｒ１１−Ｒ１２）≦−０．２５  （３８）
０．１１≦ｄ１１≦０．３５                                      （３９）
【請求項１５】
前記撮像光学レンズは、以下の条件式（４０）〜（４２）を満たすことを特徴とする請求項１４に記載の撮像光学レンズ。
−０．７３≦ｆ６／ｆ≦−０．４５                                （４０）
−０．９５≦（Ｒ１１＋Ｒ１２）／（Ｒ１１−Ｒ１２）≦−０．３１  （４１）
０．１８≦ｄ１１≦０．２８                                      （４２）
【請求項１６】
前記撮像光学レンズの焦点距離をｆ、前記第１レンズと前記第２レンズとの合成焦点距離をｆ１２としたときに、以下の条件式（４３）を満たすことを特徴とする請求項１に記載の撮像光学レンズ。
０．５≦ｆ１２／ｆ≦１．６２  （４３）
【請求項１７】
前記撮像光学レンズは、以下の条件式（４４）を満たすことを特徴とする請求項１６に記載の撮像光学レンズ。
０．８≦ｆ１２／ｆ≦１．３０  （４４）
【請求項１８】
前記撮像光学レンズの光学長ＴＴＬは、５．７５ｍｍ以下であることを特徴とする請求項１に記載の撮像光学レンズ。
【請求項１９】
前記撮像光学レンズの光学長ＴＴＬは、５．４９ｍｍ以下であることを特徴とする請求項１８に記載の撮像光学レンズ。
【請求項２０】
前記撮像光学レンズの絞りＦ値は、２．１６以下であることを特徴とする請求項１に記載の撮像光学レンズ。
【請求項２１】
前記撮像光学レンズの絞りＦ値は、２．１２以下であることを特徴とする請求項２０に記載の撮像光学レンズ。
【発明の詳細な説明】
【技術分野】
【０００１】
本発明は、光学レンズの分野に関し、特にスマートフォン及びデジタルカメラなどの携帯端末装置や、モニタ及びＰＣレンズなどの撮像装置に適用される撮像光学レンズに関する。
【背景技術】
【０００２】
近年、スマートフォンの登場に伴い、小型化された撮像レンズに対する需要がますます高まっている。この種の撮像レンズに組み合わされる感光素子としては、一般に、感光結合素子（Ｃｈａｒｇｅ  Ｃｏｕｐｌｅｄ  Ｄｅｖｉｃｅ、ＣＣＤ）及び相補型金属酸化物半導体素子（Ｃｏｍｐｌｅｍｅｎｔａｒｙ  Ｍｅｔａｌ−ＯｘｉｄｅＳｅｍｉｃｏｎｄｕｃｔｏｒ  Ｓｅｎｓｏｒ、ＣＭＯＳ  Ｓｅｎｓｏｒ）の２種類が存在する。また、半導体製造プロセスの技術の進歩により、感光素子の画素サイズが縮小化傾向にあるとともに、現在の電子製品は、優れた機能及び軽量化・薄型化・小型化を呈する傾向にある。そのため、良好な結像品質を提供する小型の撮像レンズが、現在の市場において既に主流となっている。優れた結像品質を得るために、携帯電話のカメラに搭載される従来のレンズは、３枚式又は４枚式のレンズ構成を用いることが多かった。技術の発展及びユーザの多様化されたニーズの増加に伴い、感光素子の画素面積の縮小化及び結像品質に対するシステムからの要求が高い場合には、レンズの設計において、５枚式、６枚式又は７枚式のレンズ構成が徐々に現れてきている。即ち、優れた光学特性を有し、極薄化され、かつ色収差が十分に補正される広角撮像レンズの需要が緊迫化している。
【発明の概要】
【発明が解決しようとする課題】
【０００３】
本発明は、上述の課題に鑑みてなされたものであり、高結像性能を得るとともに、極薄化及び広角化の要求を満たす撮像光学レンズを提供することを目的とする。
【課題を解決するための手段】
【０００４】
上述の課題を解決するために、本発明は、物体側から像側にかけて、順に第１レンズ、第２レンズ、第３レンズ、第４レンズ、第５レンズ及び第６レンズを備えた撮像光学レンズを提供する。
【０００５】
特に、本発明によれば、撮像光学レンズの焦点距離をｆ、第１レンズの焦点距離をｆ１、第５レンズの焦点距離をｆ５、第６レンズの焦点距離をｆ６、第４レンズの屈折率をｎ４、第６レンズの屈折率をｎ６としたときに、以下の条件式（１）〜（４）を満たす撮像光学レンズが提供される。
−３≦ｆ１／ｆ≦−１        （１）
１．７≦ｎ４≦２．２        （２）
１．７≦ｎ６≦２．２        （３）
−２≦ｆ５／ｆ６≦−１．２  （４）
【０００６】
本発明によれば、レンズの上述した配置と、焦点距離、屈折率、撮像光学レンズの光学長、軸上厚み及び曲率半径がデータ上で特定の関係を有することとにより、撮像光学レンズが高い結像性能を得ることができると共に、極薄化及び広角化の要求を満足させることができる。
【０００７】
第１レンズがプラスチック材質であり、第２レンズがプラスチック材質であり、第３レンズがプラスチック材質であり、第４レンズがガラス材質であり、第５レンズがプラスチック材質であり、第６レンズがガラス材質であり、第２レンズは正の屈折力を有し、第３レンズは負の屈折力を有すことが好ましい。
【０００８】
好ましくは、撮像光学レンズは、以下の条件式（５）〜（８）を満たす。
−２．９９７≦ｆ１／ｆ≦−１．０７８  （５）
１．７１≦ｎ４≦２．０１              （６）
１．７１≦ｎ６≦２．０４              （７）
−１．９９３≦ｆ５／ｆ６≦−１．２２２  （８）
【０００９】
好ましくは、第１レンズは、負の屈折力を有し、その物体側面が近軸において凸面であり、その像側面が近軸において凹面であり、第１レンズの物体側面の曲率半径をＲ１、第１レンズの像側面の曲率半径をＲ２、第１レンズの軸上厚みをｄ１としたときに、以下の条件式（９）〜（１０）を満たす。
１．９１≦（Ｒ１＋Ｒ２）／（Ｒ１−Ｒ２）≦１０．９８  （９）
０．１２≦ｄ１≦０．３５                              （１０）
【００１０】
好ましくは、撮像光学レンズは、以下の条件式（１１）〜（１２）を満たす。
３．０６≦（Ｒ１＋Ｒ２）／（Ｒ１−Ｒ２）≦８．７８  （１１）
０．１８≦ｄ１≦０．２８                            （１２）
【００１１】
好ましくは、第２レンズは、その物体側面が近軸において凸面であり、その像側面が近軸において凸面であり、撮像光学レンズの焦点距離をｆ、第２レンズの焦点距離をｆ２、第２レンズの物体側面の曲率半径をＲ３、第２レンズの像側面の曲率半径をＲ４、第２レンズの軸上厚みをｄ３としたときに、以下の条件式（１３）〜（１５）を満たす。
０．２７≦ｆ２／ｆ≦１．０８                            （１３）
−１．８８≦（Ｒ３＋Ｒ４）／（Ｒ３−Ｒ４）≦−０．４９  （１４）
０．２９≦ｄ３≦０．９８                                （１５）
【００１２】
好ましくは、撮像光学レンズは、以下の条件式（１６）〜（１８）を満たす。
０．４３≦ｆ２／ｆ≦０．８６                            （１６）
−１．１７≦（Ｒ３＋Ｒ４）／（Ｒ３−Ｒ４）≦−０．６１  （１７）
０．４６≦ｄ３≦０．７８                                （１８）
【００１３】
好ましくは、撮像光学レンズの焦点距離をｆ、第３レンズの焦点距離をｆ３、第３レンズの物体側面の曲率半径をＲ５、第３レンズの像側面の曲率半径をＲ６、第３レンズの軸上厚みをｄ５としたときに、以下の条件式（１９）〜（２１）を満たす。
−４３．９９≦ｆ３／ｆ≦−１．６４                      （１９）
−２．００≦（Ｒ５＋Ｒ６）／（Ｒ５−Ｒ６）≦３４．５６  （２０）
０．１２≦ｄ５≦０．４９                                （２１）
【００１４】
好ましくは、撮像光学レンズは、以下の条件式（２２）〜（２４）を満たす。
−２７．４９≦ｆ３／ｆ≦−２．０６                      （２２）
−１．２５≦（Ｒ５＋Ｒ６）／（Ｒ５−Ｒ６）≦２７．６５  （２３）
０．１８≦ｄ５≦０．４０                                （２４）
【００１５】
好ましくは、第４レンズは、その物体側面が近軸において凹面であり、その像側面が近軸において凸面であり、撮像光学レンズの焦点距離をｆ、第４レンズの焦点距離をｆ４、第４レンズの物体側面の曲率半径をＲ７、第４レンズの像側面の曲率半径をＲ８、第４レンズの軸上厚みをｄ７としたときに、以下の条件式（２５）〜（２７）を満たす。
−４．８８≦ｆ４／ｆ≦３５．８１                          （２５）
−４４．６５≦（Ｒ７＋Ｒ８）／（Ｒ７−Ｒ８）≦１１．７１  （２６）
０．２０≦ｄ７≦０．７５                                  （２７）
【００１６】
好ましくは、撮像光学レンズは、以下の条件式（２８）〜（３０）を満たす。
−３．０５≦ｆ４／ｆ≦２８．６５                        （２８）
−２７．９０≦（Ｒ７＋Ｒ８）／（Ｒ７−Ｒ８）≦９．３７  （２９）
０．３２≦ｄ７≦０．６０                                （３０）
【００１７】
好ましくは、第５レンズは、正の屈折力を有し、その物体側面が近軸において凸面であり、その像側面が近軸において凸面であり、撮像光学レンズの焦点距離をｆ、第５レンズの焦点距離をｆ５、第５レンズの物体側面の曲率半径をＲ９、第５レンズの像側面の曲率半径をＲ１０、第５レンズの軸上厚みをｄ９としたときに、以下の条件式（３１）〜（３３）を満たす。
０．３３≦ｆ５／ｆ≦１．７２                                （３１）
−０．９４≦（Ｒ９＋Ｒ１０）／（Ｒ９−Ｒ１０）≦−０．２６  （３２）
０．３２≦ｄ９≦１．３２                                    （３３）
【００１８】
好ましくは、撮像光学レンズは、以下の条件式（３４）〜（３６）を満たす。
０．５３≦ｆ５／ｆ≦１．３８                                （３４）
−０．５９≦（Ｒ９＋Ｒ１０）／（Ｒ９−Ｒ１０）≦−０．３２  （３５）
０．５２≦ｄ９≦１．０６                                    （３６）
【００１９】
好ましくは、第６レンズは、負の屈折力を有し、その物体側面が近軸において凹面であり、その像側面が近軸において凹面であり、撮像光学レンズの焦点距離をｆ、第６レンズの焦点距離をｆ６、第６レンズの物体側面の曲率半径をＲ１１、第６レンズの像側面の曲率半径をＲ１２、第６レンズの軸上厚みをｄ１１としたときに、以下の条件式（３７）〜（３９）を満たす。
−１．１６≦ｆ６／ｆ≦−０．３６                                （３７）
−１．５２≦（Ｒ１１＋Ｒ１２）／（Ｒ１１−Ｒ１２）≦−０．２５  （３８）
０．１１≦ｄ１１≦０．３５                                      （３９）
【００２０】
好ましくは、撮像光学レンズは、以下の条件式（４０）〜（４２）を満たす。
−０．７３≦ｆ６／ｆ≦−０．４５                                （４０）
−０．９５≦（Ｒ１１＋Ｒ１２）／（Ｒ１１−Ｒ１２）≦−０．３１  （４１）
０．１８≦ｄ１１≦０．２８                                      （４２）
【００２１】
好ましくは、撮像光学レンズの焦点距離をｆ、第１レンズと第２レンズとの合成焦点距離をｆ１２としたときに、以下の条件式（４３）を満たす。
０．５≦ｆ１２／ｆ≦１．６２  （４３）
【００２２】
好ましくは、撮像光学レンズは、以下の条件式（４４）を満たす。
０．８≦ｆ１２／ｆ≦１．３０  （４４）
【００２３】
好ましくは、撮像光学レンズの光学長ＴＴＬは、５．７５ｍｍ以下である。
【００２４】
より好ましくは、撮像光学レンズの光学長ＴＴＬは、５．４９ｍｍ以下である。
【００２５】
好ましくは、撮像光学レンズの絞りＦ値は、２．１６以下である。
【００２６】
より好ましくは、撮像光学レンズの絞りＦ値は、２．１２以下である。
【発明の効果】
【００２７】
本発明は、以下の作用効果を有する。本発明に係る撮像光学レンズは、優れた光学特性を有し、極薄、広角であり且つ色収差が十分に補正され、特に高画素用のＣＣＤ、ＣＭＯＳなどの撮像素子により構成された携帯電話の撮像レンズアセンブリとＷＥＢ撮像レンズとに適用することができる。
【図面の簡単な説明】
【００２８】
【図１】本発明の第１実施形態に係る撮像光学レンズの構成を示す模式図である。
【図２】図１に示す撮像光学レンズの軸上色収差を示す模式図である。
【図３】図１に示す撮像光学レンズの倍率色収差を示す模式図である。
【図４】図１に示す撮像光学レンズの像面湾曲及び歪曲収差を示す模式図である。
【図５】本発明の第２実施形態に係る撮像光学レンズの構成を示す模式図である。
【図６】図５に示す撮像光学レンズの軸上色収差を示す模式図である。
【図７】図５に示す撮像光学レンズの倍率色収差を示す模式図である。
【図８】図５に示す撮像光学レンズの像面湾曲及び歪曲収差を示す模式図である。
【図９】本発明の第３実施形態に係る撮像光学レンズの構成を示す模式図である。
【図１０】図９に示す撮像光学レンズの軸上色収差を示す模式図である。
【図１１】図９に示す撮像光学レンズの倍率色収差を示す模式図である。
【図１２】図９に示す撮像光学レンズの像面湾曲及び歪曲収差を示す模式図である。
【発明を実施するための形態】
【００２９】
本発明の目的、解決手段及び効果がより明瞭になるように、図面を参照しながら、本発明の各実施形態を以下に詳しく説明する。しかし、本発明の各実施形態において、本発明が良く理解されるように多くの技術的詳細が与えられているが、それらの技術的詳細及び以下の各実施形態に基づく各種の変化及び修正が存在しなくとも、本発明の保護しようとするものを実現可能であることは、当業者に理解されるべきである。
【００３０】
（第１実施形態）
以下、図面を参照して、本発明の撮像光学レンズ１０について説明する。図１には本発明の第１実施形態に係る撮像光学レンズ１０が示されており、この撮像光学レンズ１０は、６枚のレンズを備える。具体的に、撮像光学レンズ１０は、物体側から像側に向かって、順次に絞りＳ１、第１レンズＬ１、第２レンズＬ２、第３レンズＬ３、第４レンズＬ４、第５レンズＬ５及び第６レンズＬ６を備える。第６レンズＬ６と像面Ｓｉとの間に光学フィルタ（ｆｉｌｔｅｒ）ＧＦなどの光学素子が設けられていても良い。
【００３１】
第１レンズＬ１はプラスチック材質であり、第２レンズＬ２はプラスチック材質であり、第３レンズＬ３はプラスチック材質であり、第４レンズＬ４はガラス材質であり、第５レンズＬ５はプラスチック材質であり、第６レンズＬ６はガラス材質である。第２レンズは正の屈折力を有し、第３レンズは負の屈折力を有する。
【００３２】
ここで、撮像光学レンズ１０全体の焦点距離をｆ、第１レンズＬ１の焦点距離をｆ１として定義し、条件式−３≦ｆ１／ｆ≦−１は、第１レンズＬ１の負の屈折力を規定するものである。上限の規定値を超えると、レンズの極薄化には有利であるが、第１レンズＬ１の負の屈折力が強くなり過ぎ、収差の補正が困難となると共に、レンズの広角化に不利である。逆に、下限の規定値を下回ると、第１レンズの負の屈折力が弱くなり過ぎ、レンズの極薄化が困難となる。好ましくは、条件式−２．９９７≦ｆ１／ｆ≦−１．０７８を満たす。
【００３３】
第４レンズＬ４の屈折率をｎ４として定義し、条件式１．７≦ｎ４≦２．２は、第４レンズＬ４の屈折率を規定するものであり、この範囲内に設定することがレンズの極薄化により有利であると共に、収差の補正に有利である。好ましくは、条件式１．７１≦ｎ４≦２．０１を満たす。
【００３４】
第６レンズＬ６の屈折率をｎ６として定義し、条件式１．７≦ｎ６≦２．２は、第６レンズＬ６の屈折率を規定するものであり、この範囲内に設定することがレンズの極薄化により有利であると共に、収差の補正に有利である。好ましくは、条件式１．７１≦ｎ６≦２．０４を満たす。
【００３５】
第５レンズの焦点距離をｆ５、第６レンズの焦点距離をｆ６として定義し、条件式−２≦ｆ５／ｆ６≦−１．２は、第５レンズＬ５の焦点距離ｆ５と第６レンズＬ６の焦点距離ｆ６の比を規定するものであり、これにより、撮像用光学レンズ群の感度を効果的に低下させ、結像品質を更に向上させることができる。好ましくは、条件式−１．９９３≦ｆ５／ｆ６≦−１．２２２を満たす。
【００３６】
本実施形態における撮像光学レンズ１０の焦点距離、各レンズの焦点距離、関連のレンズの屈折率、撮像光学レンズの光学長、軸上厚み及び曲率半径が上述の条件式を満たす場合、撮像光学レンズ１０は、高性能を有し、且つ低ＴＴＬの設計需要を満足する。
【００３７】
本実施形態において、第１レンズＬ１は、物体側面が近軸において凸面であり、像側面が近軸において凹面であり、負の屈折力を有する。
【００３８】
第１レンズＬ１の物体側面の曲率半径をＲ１、第１レンズＬ１の像側面の曲率半径をＲ２として定義し、条件式１．９１≦（Ｒ１＋Ｒ２）／（Ｒ１−Ｒ２）≦１０．９８は、第１レンズＬ１の形状を規定するものであり、これにより、第１のレンズがシステム球面収差を効果的に補正できる。好ましくは、条件式３．０６≦（Ｒ１＋Ｒ２）／（Ｒ１−Ｒ２）≦８．７８を満たす。第１レンズＬ１の軸上厚みｄ１は以下の条件式を満たす。即ち、条件式０．１２≦ｄ１≦０．３５を満たすのは、極薄化を図ることに有利である。好ましくは、条件式０．１８≦ｄ１≦０．２８を満たす。
【００３９】
本実施形態において、第２レンズＬ２は、物体側面が近軸において凸面であり、像側面が近軸において凸面であり、正の屈折力を有する。
【００４０】
撮像光学レンズ１０全体の焦点距離ｆ、第２レンズＬ２の焦点距離ｆ２は以下の条件式を満たす。即ち、条件式０．２７≦ｆ２／ｆ≦１．０８を満たし、第２レンズＬ２の正の屈折力を合理的な範囲に規定することにより、負屈折力を有する第１レンズＬ１により生じた球面収差とシステムの像面湾曲量とのバランスを合理的、且つ効果的に取ることができる。好ましくは、条件式０．４３≦ｆ２／ｆ≦０．８６を満たす。
【００４１】
第２レンズＬ２の物体側面の曲率半径Ｒ３、第２レンズＬ２の像側面の曲率半径Ｒ４は以下の条件式を満たす。即ち、条件式−１．８８≦（Ｒ３＋Ｒ４）／（Ｒ３−Ｒ４）≦−０．４９を満たし、第２レンズＬ２の形状を規定するものであり、この範囲外では、レンズの極薄広角化が進んでいることにつれて、軸上色収差の補正が困難となる。好ましくは、−１．１７≦（Ｒ３＋Ｒ４）／（Ｒ３−Ｒ４）≦−０．６１を満たす。
【００４２】
第２レンズＬ２の軸上厚みｄ３は以下の条件式を満たす。即ち、条件式０．２９≦ｄ３≦０．９８を満たすのは、極薄化を図ることに有利である。好ましくは、条件式０．４６≦ｄ３≦０．７８を満たす。
【００４３】
本実施形態において、第３レンズＬ３は、物体側面が近軸において凹面であり、像側面が近軸において凸面であり、負の屈折力を有する。
【００４４】
撮像光学レンズ１０全体の焦点距離ｆ、第３レンズＬ３の焦点距離ｆ３は以下の条件式を満たす。即ち、条件式−４３．９９≦ｆ３／ｆ≦−１．６４を満たすことで、システムにおいて像面湾曲に対して良好なバランスを取る能力を得ることに有利であり、結像品質を効果的に向上させる。好ましくは、条件式−２７．４９≦ｆ３／ｆ≦−２．０６を満たす。
【００４５】
第３レンズＬ３の物体側面の曲率半径Ｒ５、第３レンズＬ３の像側面の曲率半径Ｒ６は以下の条件式を満たす。即ち、条件式−２．００≦（Ｒ５＋Ｒ６）／（Ｒ５−Ｒ６）≦３４．５６を満たすことで、第３レンズＬ３の形状を効果的に規定し、第３レンズＬ３の成型に有利であると共に、第３レンズＬ３の表面の曲率が大きすぎることによる成型不良及び応力の生成を回避する。好ましくは、−１．２５≦（Ｒ５＋Ｒ６）／（Ｒ５−Ｒ６）≦２７．６５を満たす。
【００４６】
第３レンズＬ３の軸上厚みｄ５は以下の条件式を満たす。即ち、条件式０．１２≦ｄ５≦０．４９を満たすのは、極薄化を図ることに有利である。好ましくは、条件式０．１８≦ｄ５≦０．４０を満たす。
【００４７】
本実施形態において、第４レンズＬ４は、物体側面が近軸において凹面であり、像側面が近軸において凸面であり、正の屈折力を有する。
【００４８】
撮像光学レンズ１０全体の焦点距離ｆ、第４レンズＬ４の焦点距離ｆ４は以下の条件式を満たす。即ち、条件式−４．８８≦ｆ４／ｆ≦３５．８１を満たし、屈折力の合理的な配分により、システムが優れた結像品質及び低い感度を有する。好ましくは、−３．０５≦ｆ４／ｆ≦２８．６５を満たす。
【００４９】
第４レンズＬ４の物体側面の曲率半径Ｒ７、第４レンズＬ４の像側面の曲率半径Ｒ８は以下の条件式を満たす。即ち、条件式−４４．６５≦（Ｒ７＋Ｒ８）／（Ｒ７−Ｒ８）≦１１．７１を満たし、第４レンズＬ４の形状を規定するものであり、この範囲外では、レンズの極薄広角化が進んでいることにつれて、軸外画角の収差の補正が困難となるという問題などがある。好ましくは、条件式−２７．９０≦（Ｒ７＋Ｒ８）／（Ｒ７−Ｒ８）≦９．３７を満たす。
【００５０】
第４レンズＬ４の軸上厚みｄ７は以下の条件式を満たす。即ち、条件式０．２０≦ｄ７≦０．７５を満たすのは、極薄化を図ることに有利である。好ましくは、条件式０．３２≦ｄ７≦０．６０を満たす。
【００５１】
本実施形態において、第５レンズＬ５は、物体側面が近軸において凸面であり、像側面が近軸において凸面であり、正の屈折力を有する。
【００５２】
撮像光学レンズ１０全体の焦点距離ｆ、第５レンズＬ５の焦点距離ｆ５は以下の条件式を満たす。即ち、条件式０．３３≦ｆ５／ｆ≦１．７２で第５レンズＬ５を限定することは、撮像レンズの光線角度を効果的に緩やかにし、公差感度を低下させることができる。好ましくは、条件式０．５３≦ｆ５／ｆ≦１．３８を満たす。
【００５３】
第５レンズＬ５の物体側面の曲率半径Ｒ９、第５レンズＬ５の像側面の曲率半径Ｒ１０は以下の条件式を満たす。即ち、条件式−０．９４≦（Ｒ９＋Ｒ１０）／（Ｒ９−Ｒ１０）≦−０．２６を満たし、第５レンズＬ５の形状を規定するものであり、この範囲外では、レンズの極薄広角化が進んでいることにつれて、軸外画角の収差の補正が困難となるという問題などがある。好ましくは、−０．５９≦（Ｒ９＋Ｒ１０）／（Ｒ９−Ｒ１０）≦−０．３２を満たす。
【００５４】
第５レンズＬ５の軸上厚みｄ９は以下の条件式を満たす。即ち、条件式０．３２≦ｄ９≦１．３２を満たすのは、極薄化を図ることに有利である。好ましくは、条件式０．５２≦ｄ９≦１．０６を満たす。
【００５５】
本実施形態において、第６レンズＬ６は、物体側面が近軸において凹面であり、像側面が近軸において凹面であり、負の屈折力を有する。
【００５６】
撮像光学レンズ１０全体の焦点距離ｆ、第６レンズＬ６の焦点距離ｆ６は以下の条件式を満たす。即ち、条件式−１．１６≦ｆ６／ｆ≦−０．３６を満たし、屈折力の合理的な配分により、システムが優れた結像品質及び低い感度を有する。好ましくは、条件式−０．７３≦ｆ６／ｆ≦−０．４５を満たす。
【００５７】
第６レンズＬ６の物体側面の曲率半径Ｒ１１、第６レンズＬ６の像側面の曲率半径Ｒ１２は以下の条件式を満たす。即ち、条件式−１．５２≦（Ｒ１１＋Ｒ１２）／（Ｒ１１−Ｒ１２）≦−０．２５は第６レンズＬ６の形状を規定するものであり、この範囲外では、レンズの極薄広角化が進んでいることにつれて、軸外画角の収差の補正が困難となるという問題などがある。好ましくは、条件式−０．９５≦（Ｒ１１＋Ｒ１２）／（Ｒ１１−Ｒ１２）≦−０．３１を満たす。
【００５８】
第６レンズＬ６の軸上厚みｄ１１は以下の条件式を満たす。即ち、条件式０．１１≦ｄ１１≦０．３５を満たすのは、極薄化を図ることに有利である。好ましくは、条件式０．１８≦ｄ１１≦０．２８を満たす。
【００５９】
本実施形態において、前記撮像光学レンズ全体の焦点距離ｆ、前記第１レンズと前記第２レンズとの合成焦点距離ｆ１２は以下の条件式を満たす。即ち、条件式０．５≦ｆ１２／ｆ≦１．６２を満たす。その結果、撮像光学レンズの収差や歪みを無くすことができ、撮像光学レンズのバックフォーカスを抑えて、撮像レンズ群の小型化を維持することができる。好ましくは、条件式０．８≦ｆ１２／ｆ≦１．３０を満たす。
【００６０】
本実施形態において、撮像光学レンズ１０の光学長ＴＴＬは、５．７５ｍｍ以下であり、これにより、極薄化を図ることに有利である。好ましくは、撮像光学レンズ１０の光学長ＴＴＬは、５．４９ｍｍ以下である。
【００６１】
本実施形態において、撮像光学レンズ１０の絞りＦ値は、２．１６以下である。絞りが大きい場合、結像性能に優れる。好ましくは、撮像光学レンズ１０の絞りＦ値は、２．１２以下である。
【００６２】
このように設計すると、撮像光学レンズ１０全体の光学長ＴＴＬをできる限り短くでき、小型化の特性を維持することができる。
【００６３】
以下、実施例を用いて、本発明に係る撮像光学レンズ１０について説明する。実施例に記載の記号は以下の通りである。距離、半径及び中心厚の単位はｍｍである。
【００６４】
ＴＴＬ：光学長（第１レンズＬ１の物体側面から結像面までの軸上距離）
【００６５】
好ましくは、高品質の結像需要を満足するように、レンズの物体側面及び／又は像側面には変曲点及び／又は停留点を設置することができる。具体的な実施例について、下記の説明を参照する。
【００６６】
最初に、本発明の第１実施形態に係る撮像光学レンズ１０の設計データを説明する。ただし、焦点距離、距離、半径及び中心厚の単位はｍｍである。
【００６７】
表１は、第１実施形態に係る撮像光学レンズ１０の設計データを示す。
【００６８】
【表１】
2019120919.tif 000003
【００６９】
ここで、各記号の意味は、以下の通りであり、
Ｓ１  ：絞り
Ｒ    ：光学面の曲率半径、レンズの場合は中心曲率半径
Ｒ１  ：第１レンズＬ１の物体側面の曲率半径
Ｒ２  ：第１レンズＬ１の像側面の曲率半径
Ｒ３  ：第２レンズＬ２の物体側面の曲率半径
Ｒ４  ：第２レンズＬ２の像側面の曲率半径
Ｒ５  ：第３レンズＬ３の物体側面の曲率半径
Ｒ６  ：第３レンズＬ３の像側面の曲率半径
Ｒ７  ：第４レンズＬ４の物体側面の曲率半径
Ｒ８  ：第４レンズＬ４の像側面の曲率半径
Ｒ９  ：第５レンズＬ５の物体側面の曲率半径
Ｒ１０：第５レンズＬ５の像側面の曲率半径
Ｒ１１：第６レンズＬ６の物体側面の曲率半径
Ｒ１２：第６レンズＬ６の像側面の曲率半径
Ｒ１３：光学フィルタＧＦの物体側面の曲率半径
Ｒ１４：光学フィルタＧＦの像側面の曲率半径
ｄ    ：レンズの軸上厚み、又は、レンズ間の軸上距離
ｄ０  ：絞りＳ１から第１レンズＬ１の物体側面までの軸上距離
ｄ１  ：第１レンズＬ１の軸上厚み
ｄ２  ：第１レンズＬ１の像側面から第２レンズＬ２の物体側面までの軸上距離
ｄ３  ：第２レンズＬ２の軸上厚み
ｄ４  ：第２レンズＬ２の像側面から第３レンズＬ３の物体側面までの軸上距離
ｄ５  ：第３レンズＬ３の軸上厚み
ｄ６  ：第３レンズＬ３の像側面から第４レンズＬ４の物体側面までの軸上距離
ｄ７  ：第４レンズＬ４の軸上厚み
ｄ８  ：第４レンズＬ４の像側面から第５レンズＬ５の物体側面までの軸上距離
ｄ９  ：第５レンズＬ５の軸上厚み
ｄ１０：第５レンズＬ５の像側面から第６レンズＬ６の物体側面までの軸上距離
ｄ１１：第６レンズＬ６の軸上厚み
ｄ１２：第６レンズＬ６の像側面から光学フィルタＧＦの物体側面までの軸上距離
ｄ１３：光学フィルタＧＦの軸上厚み
ｄ１４：光学フィルタＧＦの像側面から像面までの軸上距離
ｎｄ  ：ｄ線の屈折率
ｎｄ１：第１レンズＬ１のｄ線の屈折率
ｎｄ２：第２レンズＬ２のｄ線の屈折率
ｎｄ３：第３レンズＬ３のｄ線の屈折率
ｎｄ４：第４レンズＬ４のｄ線の屈折率
ｎｄ５：第５レンズＬ５のｄ線の屈折率
ｎｄ６：第６レンズＬ６のｄ線の屈折率
ｎｄｇ：光学フィルタＧＦのｄ線の屈折率
ｖｄ  ：アッベ数
ｖ１  ：第１レンズＬ１のアッベ数
ｖ２  ：第２レンズＬ２のアッベ数
ｖ３  ：第３レンズＬ３のアッベ数
ｖ４  ：第４レンズＬ４のアッベ数
ｖ５  ：第５レンズＬ５のアッベ数
ｖ６  ：第６レンズＬ６のアッベ数
ｖｇ  ：光学フィルタＧＦのアッベ数
【００７０】
表２は、第１実施形態に係る撮像光学レンズ１０における各レンズの非球面データを示す。
【００７１】
【表２】
2019120919.tif 000004
【００７２】
ここで、ｋは円錐係数であり、Ａ４、Ａ６、Ａ８、Ａ１０、Ａ１２、Ａ１４、Ａ１６は非球面係数である。
【００７３】
ＩＨ：像高
ｙ＝（ｘ２／Ｒ）／［１＋｛１−（ｋ＋１）（ｘ２／Ｒ２）｝１／２］
＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６                    （４５）
【００７４】
各レンズ面の非球面は、便宜上、上述した式（４５）で表される非球面を使用している。しかしながら、特に、この式（４５）の非球面多項式に限定するものではない。
【００７５】
表３及び表４は第１実施形態に係る撮像光学レンズ１０における各レンズの変曲点及び停留点の設計データを示す。ここで、Ｐ１Ｒ１、Ｐ１Ｒ２は、それぞれ第１レンズＬ１の物体側面と像側面を示し、Ｐ２Ｒ１、Ｐ２Ｒ２は、それぞれ第２レンズＬ２の物体側面と像側面を示し、Ｐ３Ｒ１、Ｐ３Ｒ２は、それぞれ第３レンズＬ３の物体側面と像側面を示し、Ｐ４Ｒ１、Ｐ４Ｒ２は、それぞれ第４レンズＬ４の物体側面と像側面を示し、Ｐ５Ｒ１、Ｐ５Ｒ２は、それぞれ第５レンズＬ５の物体側面と像側面を示し、Ｐ６Ｒ１、Ｐ６Ｒ２は、それぞれ第６レンズＬ６の物体側面と像側面を示す。「変曲点位置」欄の対応するデータは、各レンズの表面に設置された変曲点から撮像光学レンズ１０の光軸までの垂直距離である。「停留点位置」欄の対応するデータは、各レンズの表面に設置された停留点から撮像光学レンズ１０の光軸までの垂直距離である。
【００７６】
【表３】
2019120919.tif 000005
【００７７】
【表４】
2019120919.tif 000006
【００７８】
図２及び図３は、それぞれ波長４７０ｎｍ、５５５ｎｍ及び６５０ｎｍの光が第１実施形態に係る撮像光学レンズ１０を通った後の軸上色収差及び倍率色収差を示す模式図である。図４は、波長５５５ｎｍの光が第１実施形態に係る撮像光学レンズ１０を通った後の像面湾曲及び歪曲収差を示す模式図であり、図４の像面湾曲Ｓはサジタル方向の像面湾曲であり、Ｔは子午方向の像面湾曲である。
【００７９】
後述する表１３は、第１実施形態〜第３実施形態に対応する実施例１〜３の諸値及び条件式で規定したパラメータに対応する値を示している。
【００８０】
表１３に示すように、第１実施形態の実施例１は、各条件式を満たす。
【００８１】
本実施形態において、前記撮像光学レンズの入射瞳径は１．８３０５ｍｍであり、全視野の像高は２．９９４ｍｍであり、対角線方向の画角は７５．６８°であり、広角、極薄であり、その軸上、軸外色収差が十分に補正され、且つ優れた光学特性を有する。
【００８２】
（第２実施形態）
第２実施形態は第１実施形態と基本的に同じであり、記号の意味も第１実施形態と同じであり、以下、異なる点のみを示す。
【００８３】
表５は本発明の第２実施形態に係る撮像光学レンズ２０の設計データを示す。
【００８４】
【表５】
2019120919.tif 000007
【００８５】
表６は第２実施形態に係る撮像光学レンズ２０における各レンズの非球面データを示す。
【００８６】
【表６】
2019120919.tif 000008
【００８７】
表７及び表８は第２実施形態に係る撮像光学レンズ２０における各レンズの変曲点及び停留点の設計データを示す。
【００８８】
【表７】
2019120919.tif 000009
【００８９】
【表８】
2019120919.tif 000010
【００９０】
図６及び図７は、それぞれ波長４７０ｎｍ、５５５ｎｍ和６５０ｎｍの光が第２実施形態に係る撮像光学レンズ２０を通った後の軸上色収差及び倍率色収差を示す模式図である。図８は、波長５５５ｎｍの光が第２実施形態に係る撮像光学レンズ２０を通った後の像面湾曲及び歪曲収差を示す模式図である。
【００９１】
表１３に示すように、第２実施形態の実施例２は各条件式を満たす。
【００９２】
本実施形態において、前記撮像光学レンズの入射瞳径は１．８４６５ｍｍであり、全視野の像高は２．９９４ｍｍであり、対角線方向の画角は７６．３５°であり、広角、極薄であり、その軸上、軸外色収差が十分に補正され、且つ優れた光学特性を有する。
【００９３】
（第３実施形態）
第３実施形態は第１実施形態と基本的に同じであり、記号の意味も第１実施形態と同じであり、以下、異なる点のみを示す。
【００９４】
表９は本発明の第３実施形態に係る撮像光学レンズ３０の設計データを示す。
【００９５】
【表９】
2019120919.tif 000011
【００９６】
表１０は第３実施形態に係る撮像光学レンズ３０における各レンズの非球面データを示す。
【００９７】
【表１０】
2019120919.tif 000012
【００９８】
表１１及び表１２は、第３実施形態に係る撮像光学レンズ３０における各レンズの変曲点及び停留点の設計データを示す。
【００９９】
【表１１】
2019120919.tif 000013
【０１００】
【表１２】
2019120919.tif 000014
【０１０１】
図１０及び図１１は、それぞれ波長４７０ｎｍ、５５５ｎｍ和６５０ｎｍの光が第３実施形態に係る撮像光学レンズ３０を通った後の軸上色収差及び倍率色収差を示す模式図である。図１２は、波長５５５ｎｍの光が第３実施形態に係る撮像光学レンズ３０を通った後の像面湾曲及び歪曲収差を示す模式図である。
【０１０２】
表１３には、上記条件式に基づき、本実施形態における対応する各条件式の数値が示されている。明らかに、第３実施形態の実施例３に係る撮像光学レンズは上述した条件式を満たす。
【０１０３】
本実施形態において、前記撮像光学レンズの入射瞳径は１．８４１７ｍｍであり、全視野の像高は２．９９４ｍｍであり、対角線方向の画角は７６．３４°であり、広角、極薄であり、その軸上、軸外色収差が十分に補正され、且つ優れた光学特性を有する。
【０１０４】
【表１３】
2019120919.tif 000015
【０１０５】
当業者であれば分かるように、上記各実施形態が本発明を実現するための具体的な実施形態であり、実際の応用において、本発明の精神と範囲から逸脱しない限り、形式及び細部に対して各種の変更を行うことができる。
【図１】
2019120919.tif 000016
【図２】
2019120919.tif 000017
【図３】
2019120919.tif 000018
【図４】
2019120919.tif 000019
【図５】
2019120919.tif 000020
【図６】
2019120919.tif 000021
【図７】
2019120919.tif 000022
【図８】
2019120919.tif 000023
【図９】
2019120919.tif 000024
【図１０】
2019120919.tif 000025
【図１１】
2019120919.tif 000026
【図１２】
2019120919.tif 000027
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
撮像光学レンズであって、
物体側から像側に向かって順に配置された、負の屈折力を有する第１レンズ、正の屈折力を有する第２レンズ、負の屈折力を有する第３レンズ、正の屈折力を有する第４レンズ、正の屈折力を有する第５レンズ及び負の屈折力を有する第６レンズからなり、
前記撮像光学レンズの焦点距離をｆ、前記第１レンズの焦点距離をｆ１、前記第５レンズの焦点距離をｆ５、前記第６レンズの焦点距離をｆ６、前記第４レンズの屈折率をｎ４、前記第６レンズの屈折率をｎ６、前記第３レンズの焦点距離をｆ３、前記第３レンズの物体側面の曲率半径をＲ５、前記第３レンズの像側面の曲率半径をＲ６、前記第３レンズの軸上厚みをｄ５としたときに、以下の条件式（１）〜（４）、及び（１９）〜（２１）を満たすことを特徴とする撮像光学レンズ。
−３≦ｆ１／ｆ≦−１        （１）
１．７≦ｎ４≦２．２        （２）
１．７≦ｎ６≦２．２        （３）
−２≦ｆ５／ｆ６≦−１．２  （４）
−４３．９９≦ｆ３／ｆ≦−１．６４ （１９）
−２．００≦（Ｒ５＋Ｒ６）／（Ｒ５−Ｒ６）≦３４．５６ （２０）
０．１２ｍｍ≦ｄ５≦０．４９ｍｍ （２１）
【請求項２】
撮像光学レンズであって、
物体側から像側に向かって順に配置された、負の屈折力を有する第１レンズ、正の屈折力を有する第２レンズ、負の屈折力を有する第３レンズ、正の屈折力を有する第４レンズ、正の屈折力を有する第５レンズ及び負の屈折力を有する第６レンズからなり、
前記撮像光学レンズの焦点距離をｆ、前記第１レンズの焦点距離をｆ１、前記第５レンズの焦点距離をｆ５、前記第６レンズの焦点距離をｆ６、前記第４レンズの屈折率をｎ４、前記第６レンズの屈折率をｎ６、前記第３レンズの焦点距離をｆ３としたときに、以下の条件式（１）〜（４）、及び（１９）を満たすことを特徴とする撮像光学レンズ。
−３≦ｆ１／ｆ≦−１ （１）
１．７≦ｎ４≦２．２ （２）
１．７≦ｎ６≦２．２ （３）
−２≦ｆ５／ｆ６≦−１．２ （４）
−４３．９９≦ｆ３／ｆ≦−１．６４ （１９）
【請求項３】
前記第１レンズがプラスチック材質であり、前記第２レンズがプラスチック材質であり、前記第３レンズがプラスチック材質であり、前記第４レンズがガラス材質であり、前記第５レンズがプラスチック材質であり、前記第６レンズがガラス材質であることを特徴とする請求項１又は２に記載の撮像光学レンズ。
【請求項４】
前記撮像光学レンズは、以下の条件式（５）〜（８）を満たすことを特徴とする請求項１又は２に記載の撮像光学レンズ。
−２．９９７≦ｆ１／ｆ≦−１．０７８  （５）
１．７１≦ｎ４≦２．０１              （６）
１．７１≦ｎ６≦２．０４              （７）
−１．９９３≦ｆ５／ｆ６≦−１．２２２  （８）
【請求項５】
前記第１レンズは、その物体側面が近軸において凸面であり、その像側面が近軸において凹面であり、
前記第１レンズの物体側面の曲率半径をＲ１、前記第１レンズの像側面の曲率半径をＲ２、前記第１レンズの軸上厚みをｄ１としたときに、以下の条件式（９）〜（１０）を満たすことを特徴とする請求項１又は２に記載の撮像光学レンズ。
１．９１≦（Ｒ１＋Ｒ２）／（Ｒ１−Ｒ２）≦１０．９８  （９）
０．１２ｍｍ≦ｄ１≦０．３５ｍｍ                      （１０）
【請求項６】
前記撮像光学レンズは、以下の条件式（１１）〜（１２）を満たすことを特徴とする請求項５に記載の撮像光学レンズ。
３．０６≦（Ｒ１＋Ｒ２）／（Ｒ１−Ｒ２）≦８．７８  （１１）
０．１８ｍｍ≦ｄ１≦０．２８ｍｍ                    （１２）
【請求項７】
前記第２レンズは、その物体側面が近軸において凸面であり、その像側面が近軸において凸面であり、
前記撮像光学レンズの焦点距離をｆ、前記第２レンズの焦点距離をｆ２、前記第２レンズの物体側面の曲率半径をＲ３、前記第２レンズの像側面の曲率半径をＲ４、前記第２レンズの軸上厚みをｄ３としたときに、以下の条件式（１３）〜（１５）を満たすことを特徴とする請求項１又は２に記載の撮像光学レンズ。
０．２７≦ｆ２／ｆ≦１．０８                            （１３）
−１．８８≦（Ｒ３＋Ｒ４）／（Ｒ３−Ｒ４）≦−０．４９  （１４）
０．２９ｍｍ≦ｄ３≦０．９８ｍｍ                        （１５）
【請求項８】
前記撮像光学レンズは、以下の条件式（１６）〜（１８）を満たすことを特徴とする請求項７に記載の撮像光学レンズ。
０．４３≦ｆ２／ｆ≦０．８６                            （１６）
−１．１７≦（Ｒ３＋Ｒ４）／（Ｒ３−Ｒ４）≦−０．６１  （１７）
０．４６ｍｍ≦ｄ３≦０．７８ｍｍ                        （１８）
【請求項９】
前記撮像光学レンズは、以下の条件式（２２）〜（２４）を満たすことを特徴とする請求項１に記載の撮像光学レンズ。
−２７．４９≦ｆ３／ｆ≦−２．０６                      （２２）
−１．２５≦（Ｒ５＋Ｒ６）／（Ｒ５−Ｒ６）≦２７．６５  （２３）
０．１８ｍｍ≦ｄ５≦０．４０ｍｍ                        （２４）
【請求項１０】
前記第４レンズは、その物体側面が近軸において凹面であり、その像側面が近軸において凸面であり、
前記撮像光学レンズの焦点距離をｆ、前記第４レンズの焦点距離をｆ４、前記第４レンズの物体側面の曲率半径をＲ７、前記第４レンズの像側面の曲率半径をＲ８、前記第４レンズの軸上厚みをｄ７としたときに、以下の条件式（２５）〜（２７）を満たすことを特徴とする請求項１又は２に記載の撮像光学レンズ。
−４．８８≦ｆ４／ｆ≦３５．８１                          （２５）
−４４．６５≦（Ｒ７＋Ｒ８）／（Ｒ７−Ｒ８）≦１１．７１  （２６）
０．２０ｍｍ≦ｄ７≦０．７５ｍｍ                          （２７）
【請求項１１】
前記撮像光学レンズは、以下の条件式（２８）〜（３０）を満たすことを特徴とする請求項１０に記載の撮像光学レンズ。
−３．０５≦ｆ４／ｆ≦２８．６５                        （２８）
−２７．９０≦（Ｒ７＋Ｒ８）／（Ｒ７−Ｒ８）≦９．３７  （２９）
０．３２ｍｍ≦ｄ７≦０．６０ｍｍ                        （３０）
【請求項１２】
前記第５レンズは、その物体側面が近軸において凸面であり、その像側面が近軸において凸面であり、
前記撮像光学レンズの焦点距離をｆ、前記第５レンズの焦点距離をｆ５、前記第５レンズの物体側面の曲率半径をＲ９、前記第５レンズの像側面の曲率半径をＲ１０、前記第５レンズの軸上厚みをｄ９としたときに、以下の条件式（３１）〜（３３）を満たすことを特徴とする請求項１又は２に記載の撮像光学レンズ。
０．３３≦ｆ５／ｆ≦１．７２                                （３１）
−０．９４≦（Ｒ９＋Ｒ１０）／（Ｒ９−Ｒ１０）≦−０．２６  （３２）
０．３２ｍｍ≦ｄ９≦１．３２ｍｍ                            （３３）
【請求項１３】
前記撮像光学レンズは、以下の条件式（３４）〜（３６）を満たすことを特徴とする請求項１２に記載の撮像光学レンズ。
０．５３≦ｆ５／ｆ≦１．３８                                （３４）
−０．５９≦（Ｒ９＋Ｒ１０）／（Ｒ９−Ｒ１０）≦−０．３２  （３５）
０．５２ｍｍ≦ｄ９≦１．０６ｍｍ                            （３６）
【請求項１４】
前記第６レンズは、その物体側面が近軸において凹面であり、その像側面が近軸において凹面であり、
前記撮像光学レンズの焦点距離をｆ、前記第６レンズの焦点距離をｆ６、前記第６レンズの物体側面の曲率半径をＲ１１、前記第６レンズの像側面の曲率半径をＲ１２、前記第６レンズの軸上厚みをｄ１１としたときに、以下の条件式（３７）〜（３９）を満たすことを特徴とする請求項１又は２に記載の撮像光学レンズ。
−１．１６≦ｆ６／ｆ≦−０．３６                                （３７）
−１．５２≦（Ｒ１１＋Ｒ１２）／（Ｒ１１−Ｒ１２）≦−０．２５  （３８）
０．１１ｍｍ≦ｄ１１≦０．３５ｍｍ                              （３９）
【請求項１５】
前記撮像光学レンズは、以下の条件式（４０）〜（４２）を満たすことを特徴とする請求項１４に記載の撮像光学レンズ。
−０．７３≦ｆ６／ｆ≦−０．４５                                （４０）
−０．９５≦（Ｒ１１＋Ｒ１２）／（Ｒ１１−Ｒ１２）≦−０．３１  （４１）
０．１８ｍｍ≦ｄ１１≦０．２８ｍｍ                              （４２）
【請求項１６】
前記撮像光学レンズの焦点距離をｆ、前記第１レンズと前記第２レンズとの合成焦点距離をｆ１２としたときに、以下の条件式（４３）を満たすことを特徴とする請求項１又は２に記載の撮像光学レンズ。
０．５≦ｆ１２／ｆ≦１．６２  （４３）
【請求項１７】
前記撮像光学レンズは、以下の条件式（４４）を満たすことを特徴とする請求項１６に記載の撮像光学レンズ。
０．８≦ｆ１２／ｆ≦１．３０  （４４）
【請求項１８】
前記撮像光学レンズの光学長ＴＴＬは、５．７５ｍｍ以下であることを特徴とする請求項１又は２に記載の撮像光学レンズ。
【請求項１９】
前記撮像光学レンズの光学長ＴＴＬは、５．４９ｍｍ以下であることを特徴とする請求項１８に記載の撮像光学レンズ。
【請求項２０】
前記撮像光学レンズの絞りＦ値は、２．１６以下であることを特徴とする請求項１又は２に記載の撮像光学レンズ。
【請求項２１】
前記撮像光学レンズの絞りＦ値は、２．１２以下であることを特徴とする請求項２０に記載の撮像光学レンズ。